(57)【要約】【課題】シートの姿勢を補正する際に発生する騒音を低減する。【解決手段】レジロール手前側に、レジロールによってせき止められることにより原稿に形成されたループが当接するバッフル８１を揺動自在に配設する。バッフル８１の基材１０２には開口部１０２ａを形成すると共に、この基材１０２の原稿の搬送経路側には、この開口部１０２ａを覆うようにＰＥＴフィルム１０３を貼り付ける。【選択図】        図３
2005001787.tif 000002
【特許請求の範囲】
【請求項１】
シートを搬送する搬送部材と、
前記搬送部材よりも前記シートの搬送方向上流側で当該シートを案内する案内部材と
を含み、
前記案内部材は、放射音抑制のための開口部を有していることを特徴とするシート供給装置。
【請求項２】
前記搬送部材は、搬送される前記シートを一時的にせき止めて当該シートにループを形成させた後に、当該シートの搬送を再開することを特徴とする請求項１記載のシート供給装置。
【請求項３】
前記案内部材は、前記搬送部材によってせき止められた前記シートに形成されたループが当接する位置に配置されることを特徴とする請求項１記載のシート供給装置。
【請求項４】
前記搬送部材よりも前記シートの搬送方向上流側には、湾曲したシート搬送経路が形成され、
前記案内部材は、前記湾曲したシート搬送経路の外側に配設されることを特徴とする請求項１記載のシート供給装置。
【請求項５】
シートを搬送する搬送部材と、
前記搬送部材よりも前記シートの搬送方向上流側で当該シートを案内する案内部材と
を含み、
前記案内部材は、
弾性の低い低弾性部材と、
前記低弾性部材よりも高い弾性を有し、当該低弾性部材に対して前記シートと対向する側に配置される高弾性部材と
を有することを特徴とするシート供給装置。
【請求項６】
前記低弾性部材は、前記高弾性部材を露出させる開口部を有していることを特徴とする請求項５記載のシート供給装置。
【請求項７】
シートを搬送する搬送手段と、
前記搬送手段により搬送された前記シートの先端を突き当てて当該シートのレジを合わせるレジ合わせ手段と、
前記搬送手段にて搬送される前記シートを前記レジ合わせ手段に向けて案内する案内手段と
を備え、
前記案内手段は、基材に開口部が形成されていることを特徴とするシート供給装置。
【請求項８】
前記基材は、揺動自在に配設されることを特徴とする請求項７記載のシート供給装置。
【請求項９】
前記基材に取り付けられ、前記開口部を覆うフィルム部材をさらに有していることを特徴とする請求項７記載のシート供給装置。
【請求項１０】
前記基材と前記フィルム部材との間には、弾性を有する緩衝部材をさらに備えることを特徴とする請求項９記載のシート供給装置。
【請求項１１】
前記基材は、前記シートの搬送方向に沿って形成される複数のスリット状開口部を有していることを特徴とする請求項７記載のシート供給装置。
【発明の詳細な説明】
【０００１】
【発明の属する技術分野】
本発明は、シートを供給するシート供給装置等に係り、特に、シートの姿勢を補正して供給するシート供給装置等に関する。
【０００２】
【従来の技術】
複写機やファクシミリ等の画像形成装置では、原稿に形成された画像情報を読み取る画像読み取り装置が設けられている。従来この種の画像読み取り装置として、原稿搬送路の途中に固定型の原稿読み取りユニットによる画像読み取り部を設け、この画像読み取り部の上流側には、原稿トレイから原稿を原稿搬送路中に供給する原稿供給部を設ける一方、画像読み取り部の下流側には、画像読み取り部で読み取った原稿が外部に排出される原稿排出部を設けたものが知られている。
【０００３】
ここで、原稿供給部は、例えば原稿トレイから原稿を捌きながら供給するナジャーロールと、このナジャーロールにて捌かれた原稿を搬送するフィードロールと、このフィードロールにて搬送された原稿をアライメント調整（原稿位置を整合するスキュー補正）し且つ原稿の読取開始位置を制御する原稿整合部とを備えている。この原稿整合部は、例えばレジストレーションロール（以下必要に応じてレジロールという）にて構成されている。そして、原稿整合部では、フィードロール等にて搬送した原稿の先端をレジロールに突き当て、原稿を突き当てた後さらに一定長さの原稿を送ることで、原稿にループを形成して原稿のアライメント調整を行い、また、原稿の先端位置を基準（言い換えれば原稿の停止解除タイミングを基準）として、原稿の読取開始位置を制御するように動作する。これにより、原稿のスキュー補正やリードレジ補正を行うことが可能になる。
なお、画像形成装置では、感光体ドラム等の像担持体に形成された画像を転写する転写部に対して用紙を供給する用紙供給部にも、用紙のアライメント調整や用紙の転写開始位置を制御する目的で、上述した原稿整合部と同様の機構を有する用紙整合部が設けられる。
【０００４】
これら原稿整合部や用紙整合部では、原稿や用紙のループを形成する際に搬送路を形成するガイド部材に、形成されたループが衝突する際に異音が発生してしまう。また、レジロールに対して原稿や用紙が斜めに搬送されてきた場合には、姿勢の補正時に原稿や用紙の座屈音が発生することもある。
そこで、レジロールよりも用紙搬送方向上流側のガイド部材に、一端を固定すると共に他端となる自由端を用紙搬送方向下流側に向かって突出させたポリエステルフィルムを取り付けることで、用紙から受ける衝撃を緩和し、発生する騒音を低減するようにした技術が開示されている（特許文献１参照）。
【０００５】
【特許文献１】
特開平７−２５７７７９号公報（第３−４頁、図３）
【０００６】
【発明が解決しようとする課題】
しかしながら、特許文献１に記載される技術では、ポリエステルフィルムの形状等について何等検討がなされておらず、用紙の種類によっては大きな騒音が発生することがあり、騒音の低減対策としては不十分なものであった。
また、ポリエステルフィルムだけで用紙の衝撃を緩衝しようとしているため、用紙の種類によってはシート姿勢の補正が不十分となるおそれがあった。
さらに、ポリエステルフィルムの一端が自由状態となっているため、ジャムとなった用紙を除去する際にポリエステルフィルムが捲れ、変形してしまうおそれがあった。このようなポリエステルフィルムの変形が生じた場合には、用紙の整合や搬送に支障をきたしてしまうことになる。
【０００７】
本発明は、以上の技術的課題を解決するためになされたものであって、その目的とするところは、シートの姿勢を補正する際に発生する騒音を低減することにある。
また、本発明の他の目的は、シートの種類に関係なく、的確にシートの姿勢を補正することにある。
さらに、本発明の他の目的は、ジャムとなったシート除去した後も、シートの搬送に支障を来すことなく、シートの姿勢を補正することにある。
【０００８】
【課題を解決するための手段】
本発明のシート供給装置は、シートを搬送する搬送部材と、この搬送部材よりもシートの搬送方向上流側でシートを案内する案内部材とを含み、案内部材は、放射音抑制のための開口部を有していることを特徴としている。
ここで、搬送部材は、搬送されるシートを一時的にせき止めてシートにループを形成させた後に、このシートの搬送を再開することを特徴とすることができる。また、案内部材は、搬送部材によってせき止められたシートに形成されたループが当接する位置に配置されることを特徴とすることができる。さらに、搬送部材よりもシートの搬送方向上流側には、湾曲したシート搬送経路が形成され、案内部材は、湾曲したシート搬送経路の外側に配設されることを特徴とすることができる。
【０００９】
また、他の観点から捉えると、本発明のシート供給装置は、シートを搬送する搬送部材と、この搬送部材よりもシートの搬送方向上流側でシートを案内する案内部材とを含み、案内部材は、弾性の低い低弾性部材と、低弾性部材よりも高い弾性を有し、低弾性部材に対してシートと対向する側に配置される高弾性部材とを有している。
ここで、低弾性部材は、高弾性部材を露出させる開口部を有していることを特徴とすることができる。
【００１０】
さらに、他の観点から捉えると、本発明のシート供給装置は、シートを搬送手段で搬送し、この搬送手段により搬送された前記シートの先端を突き当ててレジ合わせ手段でシートのレジを合わせ、搬送手段にて搬送されるシートを案内手段でレジ合わせ手段に向けて案内し、この案内手段は、基材に開口部が形成されていることを特徴としている。
ここで、基材は、揺動自在に配設されることを特徴とすることができる。また、基材に取り付けられ、開口部を覆うフィルム部材をさらに有していることを特徴とすることができる。さらに、基材とフィルム部材との間には、弾性を有する緩衝部材をさらに備えることを特徴とすることができる。さらにまた、基材は、シートの搬送方向に沿って形成される複数のスリット状開口部を有していることを特徴とすることができる。
【００１１】
【発明の実施の形態】
以下、添付図面を参照して、本発明の実施の形態について詳細に説明する。
―実施の形態１―
図１は、実施の形態１に係る画像形成装置の概略構成を示している。この画像形成装置は、記録材としての用紙Ｐに画像を形成する装置本体１０、積載された原稿束から原稿を順次搬送する原稿送り装置５０、および、スキャンによって画像を読み取るスキャナ装置９０を有している。
【００１２】
装置本体１０は、矢印方向に回転可能に配設される感光体ドラム１１、矢印方向に回動可能に配設され、感光体ドラム１１上に形成された各色成分トナー像を順次転写（一次転写）して保持させる転写材としての中間転写ベルト１７、中間転写ベルト１７上に転写されたトナー像を記録材である用紙Ｐに一括転写（二次転写）させる二次転写部１９、二次転写された画像を用紙Ｐ上に定着させる定着部２０を有している。
【００１３】
感光体ドラム１１の周囲には、感光体ドラム１１が帯電される帯電器１２、感光体ドラム１１上に静電潜像が書込まれるレーザ走査装置などの露光器１３、イエロー（Ｙ）、マゼンタ（Ｍ）、シアン（Ｃ）、黒（Ｋ）の各色成分トナーが収容されて感光体ドラム１１上の静電潜像をトナーにより可視像化する四つの現像器を回転可能に取り付けた回転式現像装置１４、感光体ドラム１１上に形成された各色成分トナー像を中間転写ベルト１７に転写する一次転写ロール１８、転写後に感光体ドラム１１上に残留トナーを除去するドラムクリーナ１６等の電子写真用デバイスが順次配設されている。なお、露光器１３は、画像処理部（ＩＰＳ）１５から入力されたデジタル画像信号に基づいて、感光体ドラム１１上に対する静電潜像の書き込みを行う。
【００１４】
次に、用紙搬送系について説明する。用紙搬送系は、用紙Ｐを積載する複数（本実施の形態では四つ）の用紙トレイ３１〜３４、装置本体１０の外部から用紙Ｐを供給する手差しトレイ３５を有している。また、各用紙トレイ３１〜３４の上部には、積載された用紙Ｐに接触して上面から取り上げる引き込みロール（ナジャーロール）３６を有し、さらにその下流側には用紙Ｐを一枚ずつ捌く供給ロールおよび捌きロールからなる用紙捌き部３７、その下流側には用紙Ｐを一旦停止させた後に所定のタイミングをもって再送するテイクアウェイロール３８を有している。このテイクアウェイロール３８は、より下段の用紙トレイ３２〜３４から用紙Ｐが供給される場合には、その用紙Ｐを単純に用紙経路に搬送するための搬送ロールとして機能する。
【００１５】
このテイクアウェイロール３８の下流側に当たる用紙経路４１には、原稿をさらに下流側のロールまで搬送すると共にループ形成を行うプレレジロール３９、一旦、停止した後にタイミングを合わせて回転を再開し、二次転写部１９に対してレジストレーション調整を施しながら用紙Ｐを供給するレジストレーションロール（レジロール）４０を有している。さらに、その下流側には搬送ベルト４２が設けられており、未定着画像が転写された用紙Ｐはこの搬送ベルト４２によって定着部２０へと搬送される。また、用紙経路４１には、搬送される用紙Ｐのループ状態に応じて支点を中心として回動するバッフル４８を備えている。
【００１６】
また、本実施の形態では、両面モード選択時に、定着部２０で片面定着済みの用紙Ｐを反転させて再度二次転写部１９へと送り込むための用紙戻し搬送機構が設けられている。この用紙戻し搬送機構は、定着部２０からの用紙排出経路４３に対して下方側に分岐する用紙分岐経路４４を設け、この用紙分岐経路４４にはさらに下方に向かって用紙反転経路４５を延設すると共に、この用紙反転経路４５から二次転写部１９手前の用紙経路４１に戻る用紙戻し経路４６を連通接続したものである。そして、用紙分岐経路４４、用紙反転経路４５および用紙戻し経路４６には適宜数の搬送ロール４７が設けられており、特に用紙反転経路４５に設けられる搬送ロール４７は適宜タイミングで正逆転するようになっている。さらに、用紙排出経路４３と用紙分岐経路４４との間、用紙分岐経路４４、用紙反転経路４５および用紙戻し経路４６の間には、それぞれ搬送経路を切り換えるための切換ゲート（図示せず）が設けられており、選択されたモードに応じて搬送経路を適宜切換選択するようになっている。
なお、装置本体１０内には、画像形成時における各種制御の他、用紙Ｐの供給、搬送、原稿送り装置５０における原稿の供給、搬送、スキャナ装置９０におけるスキャン動作等を制御するコントローラ４９が設けられている。
【００１７】
図２は、原稿送り装置５０およびスキャナ装置９０を示す図である。
原稿送り装置５０は、複数枚の原稿からなる原稿束を積載する原稿トレイ５１、原稿トレイ５１を上昇および下降させるトレイリフタ５２を備えている。また、トレイリフタ５２により上昇された原稿トレイ５１の原稿を搬送するナジャーロール５３、ナジャーロール５３により搬送された原稿を更に下流側まで搬送するフィードロール５４、ナジャーロール５３により供給される原稿を１枚づつ捌くリタードロール５５を備えている。最初に原稿が搬送される第１搬送路７１には、一枚ずつに捌かれた原稿を下流側のロールまで搬送するテイクアウェイロール５６、原稿を更に下流側のロールまで搬送すると共にループ作成を行う搬送手段としてのプレレジロール５７、一旦、停止した後にタイミングを合わせて回転を再開し、原稿読み取り部に対してレジストレーション調整を施しながら原稿を供給するレジ合わせ手段あるいは搬送部材としてのレジロール５８、読み込み中の原稿搬送をアシストするプラテンロール５９、読み込まれた原稿を更に下流に搬送するアウトロール６０を備えている。また、湾曲したシート搬送経路としての第１搬送路７１には、搬送される原稿のループ状態に応じて支点を中心として回動する案内手段あるいは案内部材としてのバッフル８１を備えている。更に、プラテンロール５９とアウトロール６０との間には、ＣＩＳ（Ｃｏｎｔａｃｔ  Ｉｍａｇｅ  Ｓｅｎｓｏｒ）８５を備えている。なお、レジロール５８の手前側にレジ合わせ手段としてのレジゲートを配設し、レジゲートにてレジストレーション調整を行うことも可能である。
【００１８】
アウトロール６０の下流側には、第２搬送路７２および第３搬送路７３が設けられ、これらの搬送路を切り替える搬送路切替ゲート８２、読み込みが終了した原稿を積載させる排出トレイ８０、排出トレイ８０に対して原稿を排出させる第１排出ロール６１を備えている。また、第３搬送路７３を経由した原稿に対してスイッチバックさせる第４搬送路７４、第４搬送路７４に設けられ、実際に原稿のスイッチバックを行うインバータロール６２およびインバータピンチロール６３、第４搬送路７４によってスイッチバックされた原稿を再度、プレレジロール５７等を備える第１搬送路７１に導く第５搬送路７５、第４搬送路７４によってスイッチバックされた原稿を排出トレイ８０に排出する第６搬送路７６、第６搬送路７６に設けられ、反転排出される原稿を第１排出ロール６１まで搬送する第２排出ロール６４、第５搬送路７５および第６搬送路７６の搬送経路を切り替える出口切替ゲート８３を備えている。
【００１９】
ナジャーロール５３は、待機時にはリフトアップされて退避位置に保持され、原稿搬送時にニップ位置（原稿搬送位置）へ降下して原稿トレイ５１上の最上位の原稿を搬送する。ナジャーロール５３およびフィードロール５４は、フィードクラッチ（図示せず）の連結によって原稿の搬送を行う。プレレジロール５７は、停止しているレジロール５８に原稿先端を突き当ててループを作成する。レジロール５８では、ループ作成時に、レジロール５８に噛み込んだ原稿先端をニップ位置まで戻している。このループが形成されると、バッフル８１は支点を中心として開き、原稿のループを妨げることのないように機能している。なお、バッフル８１の詳細については後述する。また、テイクアウェイロール５６およびプレレジロール５７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール５８が回転を開始し、プラテンロール５９によって、第２プラテンガラス９２Ｂ（後述）に押圧されて、下面方向から画像データが読み込まれる。
【００２０】
搬送路切替ゲート８２は、片面原稿の読み取り終了時、および両面原稿の両面同時読み取りの終了時に、アウトロール６０を経由した原稿を第２搬送路７２に導き、排出トレイ８０に排出するように切り替えられる。一方、この搬送路切替ゲート８２は、両面原稿の順次読み取り時には、原稿を反転させるために、第３搬送路７３に原稿を導くように切り替えられる。インバータピンチロール６３は、両面原稿の順次読み取り時に、フィードクラッチ（図示せず）がオフの状態でリトラクトされてニップが開放され、原稿をインバータパス（第４搬送路７４）へ導いている。その後、このインバータピンチロール６３はニップされ、インバータロール６２によってインバートする原稿をプレレジロール５７へ導き、また、反転排出する原稿を第６搬送路７６の第２排出ロール６４まで搬送している。
【００２１】
スキャナ装置９０は、上述した原稿送り装置５０を備えることができると共に、この原稿送り装置５０を装置フレーム９１によって支え、また、原稿送り装置５０によって搬送された原稿の画像読み取りを行っている。このスキャナ装置９０は、筐体を形成する装置フレーム９１に、画像を読み込むべき原稿を静止させた状態で載置する第１プラテンガラス９２Ａ、原稿送り装置５０によって搬送中の原稿を読み取るための光の開口部を形成する第２プラテンガラス９２Ｂが設けられている。
【００２２】
また、スキャナ装置９０は、第２プラテンガラス９２Ｂの下に静止し、および第１プラテンガラス９２Ａの全体に亘ってスキャンして画像を読み込むフルレートキャリッジ９３、フルレートキャリッジ９３から得られた光を像結合部へ提供するハーフレートキャリッジ９５を備えている。フルレートキャリッジ９３には、原稿に光を照射する照明ランプ９４、原稿から得られた反射光を受光する第１ミラー９６Ａが備えられている。更に、ハーフレートキャリッジ９５には、第１ミラー９６Ａから得られた光を結像部へ提供する第２ミラー９６Ｂおよび第３ミラー９６Ｃが備えられている。更に、スキャナ装置９０は、第３ミラー９６Ｃから得られた光学像を光学的に縮小する結像用レンズ９７、結像用レンズ９７によって結像された光学像を光電変換するＣＣＤ（Ｃｈａｒｇｅ  Ｃｏｕｐｌｅｄ  Ｄｅｖｉｃｅ）イメージセンサ９８、ＣＣＤイメージセンサ９８を備える駆動基板９９を備え、ＣＣＤイメージセンサ９８によって得られた画像信号は駆動基板９９を介して画像処理部１５に送られる。
【００２３】
ここで、まず、第１プラテンガラス９２Ａに載置された原稿の画像を読み取る場合には、フルレートキャリッジ９３とハーフレートキャリッジ９５とが、２：１の割合でスキャン方向（矢印方向）に移動する。このとき、フルレートキャリッジ９３の照明ランプ９４の光が原稿の被読み取り面に照射されると共に、その原稿からの反射光が第１ミラー９６Ａ、第２ミラー９６Ｂ、および第３ミラー９６Ｃの順に反射されて結像用レンズ９７に導かれる。結像用レンズ９７に導かれた光は、ＣＣＤイメージセンサ９８の受光面に結像される。ＣＣＤイメージセンサ９８は１次元のセンサであり、１ライン分を同時に処理している。このライン方向（スキャンの主走査方向）の１ラインの読み取りが終了すると、主走査方向とは直交する方向（副走査方向）にフルレートキャリッジ９３を移動させ、原稿の次のラインを読み取る。これを原稿サイズ全体に亘って実行することで、１ページの原稿読み取りを完了させる。
【００２４】
一方、第２プラテンガラス９２Ｂは、例えば長尺の板状構造をなす透明なガラスプレートで構成される。原稿送り装置５０によって搬送される原稿がこの第２プラテンガラス９２Ｂの上を通過する。このとき、フルレートキャリッジ９３とハーフレートキャリッジ９５とは、図２に示す実線の位置に停止した状態にある。まず、原稿送り装置５０のプラテンロール５９を経た原稿の１ライン目の反射光が、第１ミラー９６Ａ、第２ミラー９６Ｂ、および第３ミラー９６Ｃを経て結像用レンズ９７にて結像され、本実施の形態における第１のセンサであるＣＣＤイメージセンサ９８によって画像が読み込まれる。即ち、１次元のセンサであるＣＣＤイメージセンサ９８によって主走査方向の１ライン分を同時に処理した後、原稿送り装置５０によって搬送される原稿の次の主走査方向の１ラインが読み込まれる。原稿の先端が第２プラテンガラス９２Ｂの読み取り位置に到達した後、原稿が第２プラテンガラス９２Ｂの読み取り位置を通過することによって、副走査方向に亘って１ページの読み取りが完了する。
【００２５】
本実施の形態では、フルレートキャリッジ９３とハーフレートキャリッジ９５とを停止させ、第２プラテンガラス９２ＢにてＣＣＤイメージセンサ９８により原稿の第１面の読み取りを行う原稿の搬送時に、同時（時間の完全一致ではなく、同一の原稿搬送時程度の意味）  に第２のセンサであるＣＩＳ８５によって、原稿の第２面の読み取りを行うことが可能である。即ち、第１のセンサであるＣＣＤイメージセンサ９８と第２のセンサであるＣＩＳ８５とを用いて、搬送路への原稿の一度の搬送で、この原稿における表裏両面の画像を読み取ることを可能としている。
【００２６】
図３は、原稿送り装置５０で用いたバッフル８１を示す図であり、図３（ａ）は第１搬送路７１側から見た図、図３（ｂ）はその裏側から見た図である。このバッフル８１は、円柱状の形状を有し、その両端には装置本体１０（図１参照）に設けられた揺動軸（図示せず）に装着するための軸穴１０１ａが形成される軸部１０１と、この軸部１０１の外周面から湾曲して延び、その中央には軸方向に向かって延びる略長方形状の開口部１０２ａが形成された基材１０２と、この基材１０２の内側（第１搬送路７１側）に両面テープ（図示せず）を介して取り付けられ、開口部１０２ａ全面を覆うフィルム部材としてのＰＥＴ（ポリエチレンテレフタレート）フィルム１０３とを有している。本実施の形態では、基材１０２よりもＰＥＴフィルム１０３の弾性が高くなっており、基材１０２が低弾性部材として、またＰＥＴフィルム１０３が高弾性部材として機能している。なお、ＰＥＴ以外にも、所定の強度を有するフィルムであれば高弾性部材として利用可能である。
【００２７】
レジ補正のために原稿のループを形成する際、形成されたループがバッフル８１を叩き、バッフル８１から騒音（衝突音）が発生する。本実施の形態では、まず、バッフル８１の原稿と当接する部位に開口部１０２ａを設け、音が放射される面積（以下、放射面積という）を減らすことで、発生する衝突音を抑制している。また、バッフル８１を揺動自在に配設することで、原稿衝突時の衝撃を吸収するようにし、発生する衝突音の更なる抑制を図っている。さらに、バッフル８１の開口部１０２ａ全面にＰＥＴフィルム１０３を貼り付けることで、開口部１０２ａに対する原稿の引っ掛かりを抑えている。そして、基材１０２にＰＥＴフィルム１０３の端部をすべて貼り付けることで、ジャム発生等においてもＰＥＴフィルム１０３の変形を抑制できるようにした。なお、本実施の形態では、バッフル８１に開口部１０２ａを設けたことでバッフル８１が軽くなり過ぎてしまうおそれがあるが、例えば基材１０２を肉厚にしたりあるいはウェイト等を取り付けることで、ある程度の重量を得、原稿のレジ補正能力を確保している。
【００２８】
ここで、図４は、本実施の形態で用いたバッフル８１を用いた場合（開口部あり）および開口部１０２ａを有しない従来のバッフルを用いた場合（開口部なし）において発生する騒音値を示している。なお、図４では、原稿の読み取り速度（１分間当たりの原稿読み取り枚数）をパラメータとしている。同図より、開口部１０２ａを有するバッフル８１を用いることで、２〜５ｄＢ程度騒音値を低減できることが理解される。
【００２９】
このように、本実施の形態では、開口部１０２ａを有するバッフル８１を用いることで、放射面積を減少させ、原稿のループが衝突する際に発生する騒音量を低減することができる。また、本実施の形態では、バッフル８１を揺動自在に配設することで、原稿のループが衝突する際の衝撃を吸収することができ、さらに騒音量を低減することができる。さらに、本実施の形態では、バッフル８１に形成された開口部１０２ａ全面にＰＥＴフィルム１０３を貼り付けるようにしたので、原稿の引っ掛かりやジャムの発生を防止することができる。さらにまた、本実施の形態では、ＰＥＴフィルム１０３の全端部がバッフル８１の基材１０２に貼り付けられているので、捲れや変形等による弊害を防止することができる。
【００３０】
なお、本実施の形態では、バッフル８１の基材１０２とＰＥＴフィルム１０３とを両面テープで直接張り合わせるようにしていたが、例えば図５に示すように、例えば基材１０２の断面を凹字状に形成し、形成された凹部に緩衝部材としてのウレタンフォーム１０４を装着して、このウレタンフォーム１０４に対してＰＥＴフィルム１０３を貼り付けるようにしてもよい。この場合には、ウレタンフォーム１０４がクッションの役割を果たし、ＰＥＴフィルム１０３の振動および振動に伴って発生する騒音をさらに抑制することが可能になる。
【００３１】
また、本実施の形態では、原稿送り装置５０に設けられたバッフル８１について説明を行ったが、例えば装置本体１０の用紙搬送系に設けられた案内手段あるいは案内部材としてのバッフル４８に対しても、同様の手法を適用することができる。バッフル４８に開口部を設けることで、装置本体１０における用紙搬送時の騒音量を低減することができる。
【００３２】
―実施の形態２―
本実施の形態は、実施の形態１と略同様であるが、バッフル８１に形成する開口部の形状を実施の形態１とは異ならせたものである。なお、本実施の形態において、実施の形態１と同様のものについては、実施の形態１と同じ符号を付してその詳細な説明を省略する。
【００３３】
図６は、本実施の形態で用いたバッフル８１を示す図であり、図６（ａ）は第１搬送路７１側から見た図、図６（ｂ）はその裏側から見た図である。このバッフル８１は、円柱状の形状を有し、その両端には装置本体１０（図１参照）に設けられた揺動軸（図示せず）に装着するための軸穴１０１ａが形成される軸部１０１と、この軸部１０１の外周面から湾曲して延び、用紙搬送方向に沿って複数のスリット状開口部１０２ｂが形成された基材１０２とを有している。なお、本実施の形態では、基材１０２にＰＥＴフィルム等は取り付けられていない。
【００３４】
本実施の形態では、複数のスリット状開口部１０２ｂを有するバッフル８１を用いることで、実施の形態１と同様に放射面積を減少させ、原稿のループが衝突する際に発生する騒音量を低減することができる。また、本実施の形態では、バッフル８１を揺動自在に配設することで、原稿のループが衝突する際の衝撃を吸収することができ、さらに騒音量を低減することができる。さらに、本実施の形態では、用紙搬送方向に向かって延びる複数のスリット状開口部１０２ｂを設けるようにしたので、大きな開口部を設ける態様と比較して、原稿の引っ掛かりやジャムの発生を抑えることができる。
【００３５】
【発明の効果】
以上説明したように、本発明によれば、シートの姿勢を補正する際に発生する騒音を低減することができる。
【図面の簡単な説明】
【図１】画像形成装置の概略構成を示す図である。
【図２】原稿送り装置およびスキャナ装置の構成を示す図である。
【図３】（ａ）（ｂ）は実施の形態１で用いたバッフルを示す図である。
【図４】バッフルの種類と発生する騒音量との関係を示す図である。
【図５】他のバッフルの例を示す図である。
【図６】（ａ）（ｂ）は実施の形態２で用いたバッフルを示す図である。
【符号の説明】
１０…装置本体、１１…感光体ドラム、１５…画像処理部（ＩＰＳ）、１９…二次転写部、２０…定着部、３９…プレレジロール、４０…レジロール、４８…バッフル、４９…コントローラ、５０…原稿送り装置、５７…プレレジロール、５８…レジロール、８１…バッフル、９０…スキャナ装置、１０１…軸部、１０１ａ…軸穴、１０２…基材、１０２ａ…開口部、１０２ｂ…スリット状開口部、１０３…ＰＥＴフィルム、１０４…ウレタンフォーム
【図１】
2005001787.tif 000003
【図２】
2005001787.tif 000004
【図３】
2005001787.tif 000005
【図４】
2005001787.tif 000006
【図５】
2005001787.tif 000007
【図６】
2005001787.tif 000008